【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
遊技機の球受け皿側からの遊技球を球発射装置の発射レール側に向けて送るように前記球受け皿と前記発射レールとの間に配設される球送り装置において、
ケーシングと、当該ケーシング内に収容される球送り部材とを備えており、
前記ケーシングは、
前記球受け皿からの遊技球を導入する球導入部と、
当該球導入部から導入される遊技球を案内する球案内通路と、
当該球案内通路により案内される遊技球を前記発射レール上に送り出す球送り口部と、
前記ケーシング内に導入された遊技球にその側部側或いは下部側から接触可能なように、当該遊技球が前記球案内通路を介して前記球送り口部から出るまでの間に支持される突起とを具備してなり、
前記球送り部材は、
前記ケーシング内にて上下方向に傾動可能に支持される傾動基部と、
第１及び第２の球受け部とを具備して、
当該第１及び第２の球受け部は、前記遊技球を前記球案内通路、前記傾動基部及び前記突起のいずれかと接触させながら前記第１球受け部から前記第２球受け部に移動させるように構成されて、前記傾動基部の前記上下方向のうちの一方向への傾動に伴い前記遊技球を第１傾動端にて受承するように停止し、前記傾動基部の他方向への傾動に伴い前記遊技球を前記第１傾動端から移動させて第２傾動端にて受承するように停止し、かつ、前記傾動基部の前記一方向への傾動に伴い前記遊技球を前記球送り口部に向けて移動させるようにしたことを特徴とする遊技機用球送り装置。
【手続補正２】
【補正対象書類名】明細書
【補正対象項目名】０００８
【補正方法】変更
【補正の内容】
【０００８】
上記課題の解決にあたり、本発明に係る遊技機用球送り装置は、請求項１の記載によれば、
遊技機の球受け皿側からの遊技球を球発射装置の発射レール側に向けて送るように球受け皿と発射レールとの間に配設されるものである。
【手続補正３】
【補正対象書類名】明細書
【補正対象項目名】０００９
【補正方法】変更
【補正の内容】
【０００９】
当該球送り装置において、
ケーシングと、当該ケーシング内に収容される球送り部材とを備えており、
ケーシングは、
球受け皿からの遊技球を導入する球導入部と、
当該球導入部から導入される遊技球を案内する球案内通路と、
当該球案内通路により案内される遊技球を発射レール上に送り出す球送り口部と、
ケーシング内に導入された遊技球にその側部側或いは下部側から接触可能なように、当該遊技球が球案内通路を介し上記球送り口部から出るまでの間に支持される突起とを具備してなり、
球送り部材は、
ケーシング内にて上下方向に傾動可能に支持される傾動基部と、
第１及び第２の球受け部とを具備して、
当該第１及び第２の球受け部は、上記遊技球を球案内通路、傾動基部及び突起のいずれかと接触させながら第１球受け部から第２球受け部に移動させるように構成されて、傾動基部の上記上下方向のうちの一方向への傾動に伴い上記遊技球を第１傾動端にて受承するように停止し、傾動基部の他方向への傾動に伴い上記遊技球を上記第１傾動端から移動させて第２傾動端にて受承するように停止し、かつ、傾動基部の上記一方向への傾動に伴い上記遊技球を球送り口部に向けて移動させるようにしたことを特徴とする。
【手続補正４】
【補正対象書類名】明細書
【補正対象項目名】００１０
【補正方法】変更
【補正の内容】
【００１０】
これによれば、上述のように第１及び第２の球受け部が、遊技球を球案内通路、傾動基部及び突起のいずれかと接触させながら第１球受け部から第２球受け部に移動させるように構成されて、傾動基部の上下方向のうちの一方向への傾動に伴い遊技球を第１傾動端にて受承するように停止し、傾動基部の他方向への傾動に伴い遊技球を第１傾動端から移動させて第２傾動端にて受承するように停止し、かつ、傾動基部の一方向への傾動に伴い遊技球を球送り口部に向けて移動させる。
換言すれば、ケーシング内に導入される遊技球ごとに、ケーシング内において当該遊技球が傾動基部の上下方向への傾動に伴い移動及び停止をしながら球送り口部に向けて移動する。
ここで、上述のごとく、突起が、ケーシング内に導入された遊技球にその側部側或いは下部側から接触可能なように、当該遊技球が球案内通路を介し球送り口部から出るまでの間に支持される。このように、突起が遊技球の側部側或いは下部側接触可能となることで、上述のように停止するまでの遊技球の安定性が増大し得る。
従って、ケーシング内に導入された遊技球の球送り口部への移動が、余分な機械的構成部材に依存することなく円滑になされ得るのは勿論のこと、遊技球が、上述のような停止のもとに安定して球送り口部に向けて移動し、安定した遊技球として、発射装置へ球送りされ得る。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明によれば、上述のように第１及び第２の球受け部が、遊技球を球案内通路、傾動基部及び突起のいずれかと接触させながら第１球受け部から第２球受け部に移動させるように構成されて、傾動基部の上下方向のうちの一方向への傾動に伴い遊技球を第１傾動端にて受承するように停止し、傾動基部の他方向への傾動に伴い遊技球を第１傾動端から移動させて第２傾動端にて受承するように停止し、かつ、傾動基部の一方向への傾動に伴い遊技球を球送り口部に向けて移動させる。
換言すれば、ケーシング内に導入される遊技球ごとに、ケーシング内において当該遊技球が傾動基部の上下方向への傾動に伴い移動及び停止をしながら球送り口部に向けて移動する。
ここで、上述のごとく、突起が、ケーシング内に導入された遊技球にその側部側或いは下部側から接触可能なように、当該遊技球が球案内通路を介し上記球送り口部から出るまでの間に支持される。このように、突起が遊技球の側部側或いは下部側接触可能となることで、上述のように停止するまでの遊技球の安定性が増大し得る。
従って、ケーシング内に導入された遊技球の球送り口部への移動が、余分な機械的構成部材に依存することなく円滑になされ得るのは勿論のこと、遊技球が、上述のような停止のもとに安定して球送り口部に向けて移動し、安定した遊技球として、発射装置へ球送りされ得る。
【手続補正１０】
【補正対象書類名】明細書
【補正対象項目名】００２４
【補正方法】変更
【補正の内容】
【００２４】
しかして、当該案内レール３０は、球発射装置７０の発射レール７０ｂ（後述する）から中継レール（図示しない）に沿い発射される遊技球を、内側レール部３１及び外側レール部３２の間に形成される案内通路３３により遊技盤２０の盤面２１の遊技領域２１ａ内に案内する。
【手続補正１１】
【補正対象書類名】明細書
【補正対象項目名】００３３
【補正方法】変更
【補正の内容】
【００３３】
発射レール７０ｂは、案内レール３０の案内通路３３に向けて上記中継レールを介し遊技球を発射し得るような傾斜状に、上記中継レールと発射機構７０ａにおける上記槌部材の上記打撃位置との間にて、本体枠１０の下側壁部１１に設けられている。しかして、当該発射レール７０ｂは、その発射基端部上にて、球送り装置Ｕ（後述する）から送られる遊技球を待機させる。なお、発射レール７０ｂは、球送り装置Ｕの後壁１２０ｂ（後述する）に沿い遊技球の発射方向からその逆方向へ下方に向け傾斜するように、球送り口部１２５（後述する）の下方にて位置する。
【手続補正１２】
【補正対象書類名】明細書
【補正対象項目名】００４６
【補正方法】変更
【補正の内容】
【００４６】
一方、後側ケーシング部材１２０も、図５にて例示するごとく、その右上側隅角部にて、右上側隅角切り欠き部１１０ａに対応するようにＬ字状に切り欠かれて、右上側隅角切り欠き部１２０ａとして形成されている。なお、右上側隅角切り欠き部１１０ａ及び右上側隅角切り欠き部１２０ａは、ケーシングＫの右上側隅角切り欠き部を構成する。
【手続補正１３】
【補正対象書類名】明細書
【補正対象項目名】００４８
【補正方法】変更
【補正の内容】
【００４８】
一方、後側ケーシング部材１２０は、図９にて例示するごとく、後壁１２０ｂと、周壁１２０ｃとを備えており、周壁１２０ｃは、後壁１２０ｂの外周縁部から前方へＬ字状に折れ曲がるように延出している。
【手続補正１４】
【補正対象書類名】明細書
【補正対象項目名】００５２
【補正方法】変更
【補正の内容】
【００５２】
左側壁部１１２及び下側壁部１１３は、それぞれ、幅広部１１１ａと同一の幅でもって、前壁１１０ｂの左縁部及び下縁部から後方へＬ字状に折れ曲がるように延出している。また、右側壁部１１４は、前壁１１０ｂの右縁部から後方へＬ字状に折れ曲がるように延出しており、当該右側壁部１１４は、下側壁部１１３の右端部から右上側隅角切り欠き部１１０ａの下壁部の右端部にかけて上方へＬ字状に折れ曲がるように延出されている。
【手続補正１５】
【補正対象書類名】明細書
【補正対象項目名】００５３
【補正方法】変更
【補正の内容】
【００５３】
また、前側ケーシング部材１１０は、図５〜図７にて示すごとく、球導入口部１１５を有しており、この球導入口部１１５は、前壁１１０ｂの上部の左側寄り部位に、横長矩形状にて貫通状に形成されている。
【手続補正１６】
【補正対象書類名】明細書
【補正対象項目名】００５４
【補正方法】変更
【補正の内容】
【００５４】
ここで、当該球導入口部１１５は、球供給通路９２内にその延出開口端部９２ａ（図３０参照）に対向するように形成されており、当該球導入口部１１５は、球供給通路９２により案内される遊技球を、延出端開口部９２ａを介し、ケーシングＫ内に導入する。
【手続補正１７】
【補正対象書類名】明細書
【補正対象項目名】００５９
【補正方法】変更
【補正の内容】
【００５９】
また、上側壁部１２１は、図５或いは図９にて例示するごとく、左側幅狭部１２１ａ、中側幅広部１２１ｂ、右側幅狭部１２１ｃ、クランク状壁部１２１ｄ及びＬ字状壁部１２１ｅからなるものである。
【手続補正１８】
【補正対象書類名】明細書
【補正対象項目名】００７８
【補正方法】変更
【補正の内容】
【００７８】
これにより、立ち上がり壁部１３２の立ち上がり端部１３２ａは、球導入口部１１５の舌片部１１５ａの傾斜状下縁部Ｄとの間にて、前壁１１０ｂの前側から見て、互いにＶ字状に交差して下側Ｖ字状交差部を形成する（図８参照）。
【手続補正１９】
【補正対象書類名】明細書
【補正対象項目名】００８４
【補正方法】変更
【補正の内容】
【００８４】
本実施形態では、球導入口部１１５から導入される遊技球を球案内通路１３１上へ案内するように、後側ケーシング部材１２０の後壁１２０ｂに形成した凹所１２９（図３０参照）の底壁が、その左側部位にて、案内壁１２９ａとして、周壁１２０ｃの左側壁部１２２から右側後方へ傾斜状に形成されている。ここで、凹所１２９は、その案内壁１２９ａにて、球導入口部１１５側及び球案内通路１３１の傾斜端部側の双方を臨むように形成されている。
【手続補正２０】
【補正対象書類名】明細書
【補正対象項目名】０１０２
【補正方法】変更
【補正の内容】
【０１０２】
上述した突起Ｑは、図１２〜図１４のいずれかにて示すごとく、上側湾曲壁１６０ａの凹状壁部１６２内に収容可能なように、球送り口部１２５の下部と球案内通路部材１３０の上下方向略中央部との間にて、後側ケーシング部材１２０の後壁１２０ｂから前側ケーシング部材１１０の前壁１１０ｂに向けて突出されている。
【手続補正２１】
【補正対象書類名】明細書
【補正対象項目名】０１０６
【補正方法】変更
【補正の内容】
【０１０６】
しかして、球送り部材１４０が上記下側傾動端にあるとき、突起Ｑは、その左側面Ｑａにより、前側球受け部１６１の壁部１６１ａとの間にて、遊技球を壁部１６１ｂ上に維持する。また、球送り部材１４０が上記下側傾動端から上記上側傾動端に向け傾動すると、前側球受け部１６１の壁部１６１ｂ上に維持される遊技球は、前側球受け部１６１によりその壁部１６１ａにて突起Ｑの上側面Ｑｂ上に送られる。
【手続補正２２】
【補正対象書類名】明細書
【補正対象項目名】０１２３
【補正方法】変更
【補正の内容】
【０１２３】
当該金属板１７０は、図１１、図１８、図１９、図２３及び図２４のいずれかにて示すごとく、刃１７３を有しており、当該刃１７３は、金属板１７０のうち球送り口部１２５の矩形凹状切り欠き部１２５ｅ（後述する）の中空部の内側領域に対する対応板部位を細幅状に後方へ（発射レール７０ｂ側へ）切り起こすことで、形成されている。
【手続補正２３】
【補正対象書類名】明細書
【補正対象項目名】０１８１
【補正方法】変更
【補正の内容】
【０１８１】
以上のように、本実施形態では、球送り装置Ｕは次のような各段階を経て球導入口部１１５から球送り口部１２５にかけて球送り作動を行う。
（１）初期段階
球送り部材１４０が、駆動機構１８０により上記上側傾動端に維持されるとともに、遊技球が、図１４にて示すごとく、未だケーシングＫ内には導入されていないとき、遊技球Ｘが、球供給通路９２から球導入口部１１５を通りケーシングＫ内に導入されると、当該遊技球Ｘは、上述のごとく、案内壁１２９ａ及び球案内通路部材１３０の球案内通路１３１により案内されて、球送り部材１４０の左側湾曲壁１６０ｃによりその上端部にて球案内通路１３１の傾斜端部上に維持される（図２５参照）。このとき、遊技球Ｘに後続する遊技球Ｘ１も、遊技球Ｘと同様に球供給通路９２から球導入口部１１５を通りケーシングＫ内に導入されて、遊技球Ｘとともに球案内通路１３１上に維持される（図２５参照）。
（２）第１段階
上記初期段階にて上記上側傾動端に位置している球送り部材１４０が、駆動機構１８０により上記下側傾動端に向け傾動されると、上述のように上記初期段階にて球案内通路１３１の傾斜端部上に維持されている遊技球Ｘが、上述のごとく、球送り部材１４０の上記下側傾動端への傾動に伴い当該球送り部材１４０の左側湾曲壁１６０ｃから解放されて当該球送り部材１４０の前側球受け部１６１の壁部１６１ｂ上に移動して受承されて壁部１６１ａと突起Ｑとにより維持される（図２６参照）。
（３）第２段階
上記第１段階にて上記下側傾動端に傾動した球送り部材１４０が、再び、駆動機構１８０により上記上側傾動端に向けて傾動されると、上記第１段階にて球送り部材１４０の前側球受け部１６１の壁部１６１ｂ（図１６参照）上に壁部１６１ａと突起Ｑとにより維持されている遊技球Ｘが、突起Ｑの凹状壁部１６２内への収容に伴い、壁部１６１ｂ上から突起Ｑの上側面Ｑｂに沿い移動して当該突起Ｑと球送り部材１４０の後側球受け部１６３側へ移動して突起Ｑと後側球受け部１６３との間に維持される（図２７参照）。
【手続補正２４】
【補正対象書類名】明細書
【補正対象項目名】０１９９
【補正方法】変更
【補正の内容】
【０１９９】
ついで、球送り部材１４０が、上述のごとく、上記第１段階から上記第２段階に移行すると、遊技球Ｙが、遊技球Ｘの場合と同様に、突起Ｑの凹状壁部１６２内への収容に伴い、壁部１６１ａ上から突起Ｑの上側面Ｑｂに沿い移動して当該突起Ｑと球送り部材１４０の後側球受け部１６３側へ移動して突起Ｑと後側球受け部１６３との間に維持される。このとき、球送り部材１４０の上記第１段階から上記第２段階への移行に伴い、引き込みロッド部１５０ｄが上方へ移動するので、糸ｔは、引き込みロッド部１５０ｄによる抑え込みから解放される。
【手続補正２５】
【補正対象書類名】明細書
【補正対象項目名】０２０１
【補正方法】変更
【補正の内容】
【０２０１】
このとき、球送り部材１４０の上記第２段階から上記第３段階への移行に伴い、糸ｔが、再び、上述と同様に、引き込みロッド部１５０ｄにより上方から抑え込まれるため、糸ｔの球導入口部１１５の右側内縁部１１５ｂとの間の強い係合による摩擦接触のもとに、遊技球Ｙの球送り口部１２５内への案内が引き込みロッド部１５０ｄにより抑制され得る。
【手続補正２６】
【補正対象書類名】明細書
【補正対象項目名】０２０２
【補正方法】変更
【補正の内容】
【０２０２】
以上のように、糸付き遊技球Ｙが球導入口部１１５から球送り口部１２５内へ案内される過程においては、糸ｔが、上述のごとく、球導入口部１１５の右側内縁部１１５ｂとの間の強い係合による摩擦接触及び引き込みロッド部１５０ｄによる上方からの押え込みでもって、遊技球Ｙの球導入口部１１５から球送り口部１２５内への案内が大きく抑制され得る。このことは、遊技者による糸付き遊技球Ｙを利用する不正行為の抑制につながることを意味する。
【手続補正２７】
【補正対象書類名】明細書
【補正対象項目名】０２０４
【補正方法】変更
【補正の内容】
【０２０４】
また、本実施形態では、発射レール７０ｂが、上述のように球送り装置Ｕの後壁１２０ｂ（後述する）に沿い遊技球の発射方向からその逆方向へ下方に向け傾斜するように、球送り口部１２５（後述する）の下方にて位置する。従って、糸ｔが遊技球Ｙに付随して球送り口部１２５に向けて引っ張られる方向と発射レール７０ｂに沿う遊技球Ｙの発射方向との間の角度は、非常に小さい。
【手続補正２８】
【補正対象書類名】明細書
【補正対象項目名】０２１０
【補正方法】変更
【補正の内容】
【０２１０】
従って、糸ｔが、金属板１７０の右縁部１７４のうち球送り口部１２５の矩形凹状切り欠き部１２５ｅ内に位置する部位に係合したとき、当該糸ｔは、遊技球Ｙによりその発射方向に引っ張られながら、下側部位１７４ｂ、刃１７３の先端部１７３ｄ或いは上側部位１７４ｃに沿い摩擦接触しつつ、上記同一傾斜線の方向に移動する。
【手続補正２９】
【補正対象書類名】明細書
【補正対象項目名】０２２６
【補正方法】変更
【補正の内容】
【０２２６】
ここで、当該案内壁部１２７は、後側球受け部１６３及び球送り口部１２５の双方を臨むように傾斜状に形成してなる傾斜状案内面部であって後側球受け部１６３から移動する遊技球を当該後側球受け部１６３の上面部に沿い球送り口部１２５内に案内する傾斜状案内面部１２７ｂを有するように形成されていてもよい。
（４）本発明の実施にあたり、突起Ｑは、上記実施形態にて述べたように後側ケーシング部材１２０の後壁１２０ｂから前側ケーシング部材１１０の前壁１１０ｂに向けて突出される構成に限らず、発射レール７０ｂ側から球受け皿９０側に向けて突出されるように構成してもよい。
（５）本発明の実施にあたり、金属板１７０に代えて金属部材を採用し、当該金属部材が、球送り口部１２５の矩形凹状切り欠き部１２５ｅの中空部の内側領域に対する対応板部位にて細幅状に発射レール７０ｂ側へ切り起こし形成してなる刃１７３を有するように構成されていてもよい。
【手続補正３０】
【補正対象書類名】図面
【補正対象項目名】図８
【補正方法】変更
【補正の内容】
【図８】
2016067591.tif 000001
【手続補正３１】
【補正対象書類名】図面
【補正対象項目名】図１１
【補正方法】変更
【補正の内容】
【図１１】
2016067591.tif 000002
【手続補正３２】
【補正対象書類名】図面
【補正対象項目名】図３０
【補正方法】変更
【補正の内容】
【図３０】
2016067591.tif 000003